(57)【要約】【課題】キャップに通気口を開けることで、継手にキャップ装着時の抵抗を軽減したものであり、装着済のキャップが空気圧により緩んだり、外れたりすることがなくなったもので、これによって完全な継手を施工現場まで運び込むことができることとなった。【解決手段】パイプ継手の開口部に装着されるキャップであって、当該キャップの正面、或いはキャップの裾部に通気口を形成した通気口付き継手キャップ。６Ａ‥キャップ、６ａ‥キャップの裾部、６ｂ‥キャップの正面部、６ｃ、６ｄ‥突起、１０‥通気口。【選択図】図４
2007302329.tif 000002
【特許請求の範囲】
【請求項１】
パイプ継手の開口部に装着されるキャップであって、当該キャップに通気口が形成されていることを特徴とする通気口付き継手キャップ。
【請求項２】
通気口がキャップの正面に形成された請求項１記載の通気口付き継手キャップ。
【請求項３】
通気口がキャップの裾部に形成された請求項１記載の通気口付き継手キャップ。
【請求項４】
継手基体の差込口内に止水部材及びパイプ保持部材を内蔵し、これらの抜けを防止するために、前記継手基体に装着された抜防止部材からなる継手にあって、継手基体又は抜防止部材に緊着して装着されるキャップであり、当該キャップに通気口が形成されたことを特徴とする通気口付き継手キャップ。
【発明の詳細な説明】
【技術分野】
【０００１】
本発明はパイプ継手に装着するキャップの改良に関するものである。
【背景技術】
【０００２】
一般にパイプと器具の接続、パイプ同士の接続、パイプの分岐として各種の継手が用いられている。かかる継手にあって、継手の保管中や輸送中に内部にゴミ等の異物が入り込まないように開口部にキャップが嵌め込まれるのが一般的である。
【０００３】
例えば、給水・給湯用の配管として樹脂パイプが広く用いられるようになり、かかる樹脂パイプと水廻り器具の接続、樹脂パイプ同士の接続、樹脂パイプの分岐、更には給水・給湯用のヘッダ−としての継手も各種採用されている。かかる継手にあっては、樹脂パイプとの接続のためのパイプ保持部材及び止水部材等が内蔵されており、この継手も又開口部にキャップが嵌め込まれるのを常としている。
【０００４】
以下、本発明を給水・給湯用の配管としての樹脂パイプの継手をもって説明するが、継手本体内にパイプ保持部材及び止水部材等が内蔵され、これらが組み込まれた継手として完成した状態で出荷される。この際、継手内にごみ等の異物の侵入は許されないものであり、通常は、例えばＰＰ製のキャップを嵌め込んで外界と遮断されるものである。尚、樹脂パイプとの接続時には樹脂パイプの変形を阻止するために樹脂パイプ内にサポ−トスリ−ブが差し込まれるため、このサポ−トスリ−ブをキャップに装着した状態で継手に嵌め込まれる。
【０００５】
図１は給水・給湯用の継手及びキャップの具体例を示す図であり、図２はキャップをこの継手に嵌め込んだ際の図である。図中、１は継手基体、２は止水部材（Ｏ−リング）、３はパイプ保持部材であり、これらが継手基体１の差込口４より挿入・内蔵され、これらの抜防止部材５、例えば袋ナット５が差込口４の内側に刻設された図示しない雌ねじ部に螺合されて装着している。又、６はＰＰ製のブロ−成形或いは真空成形によって得られたキャップであり、この例ではキャップ６の裾部６ａの内径が継手基体１の差込口４の外形とほぼ同径としたものであり、キャップ６をこの継手基体１に嵌め込んで外界との遮断に供されている。抜防止部材５の一例としての袋ナット５は、差込口４の外側に刻設された雄ねじ部に螺合して装着される場合もあり、この場合には、キャップ６の裾部６ａは袋ナット５の外面に装着されることとなるが、抜防止部材５と継手基体１の装着の手段は螺着以外の手段であっても良いことは勿論である。
【発明の開示】
【発明が解決しようとする課題】
【０００６】
かかるキャップ６の継手基体１への装着は、簡単に取れてしまうものでは価値がなく、ぴったりと嵌め合わされることが望ましいことは言うまでもない。しかるに、継手には通常で最低でも差込口４が二つあり、キャップ６はこの両方に装着することになる。このキャップ６の装着は前記したように簡単に取れてしまうものではその機能が果たせず、従って、キャップ６の裾部６ａの内面と継手基体１の外面（或いは抜防止部材の外面、以下、問題のない限り継手基体１の外面をもって説明する）１ａとが密着した状態で装着しなければならない。
【０００７】
しかしながら、この両者の装着は実際には極めて手間のかかるものであり、一方を装着した後に他方を装着しようとすると先に装着していたキャップが内部の空気圧によって浮き上がってしまい、この結果輸送の際或いは保管時、更には施工現場においてキャップが外れてしまったり、その前に紛失してしまっているという欠点が生じていた。そして、キャップには、樹脂パイプの先端に差し込まれるサポ−トスリ−ブが保持されているのが通例であるが、このキャップが外れて紛失してしまうと異物の侵入があり、又、施工に不可欠のサポ−トスリ−ブが紛失することともなり、施工現場で迅速な施工ができなくなるという重大な欠点がもたらされる。
【課題を解決するための手段】
【０００８】
本発明の要旨は、パイプ継手の開口部に装着されるキャップであって、当該キャップに通気口が形成されていることを特徴とする通気口付き継手キャップであり、通気口がキャップの正面に、或いはキャップの裾部に形成されたもので、好ましくは通気口が継手基体又は抜防止部材に接して装着させる部位に形成したものである。
【０００９】
本発明を給水・給湯用の樹脂パイプの継手について言えば、継手基体の差込口内に止水部材及びパイプ保持部材を内蔵し、これらの抜けを防止するために、差込口に抜防止部材が装着されてなる継手にあって、継手基体又は抜防止部材に緊着して装着されるキャップであり、当該キャップに通気口が形成されたものである。
【発明の効果】
【００１０】
上記の通り、本発明はキャップに通気口を開けることで、継手にキャップ装着時の抵抗を軽減したものであり、装着済のキャップが空気圧により緩んだり、外れたりすることがなくなったものであり、これによって完全な継手を施工現場まで運び込むことができることとなったものである。
【発明を実施するための最良の形態】
【００１１】
前記したように、樹脂パイプ用の継手には、梱包時や運搬時、或いは保管時に、内部に異物が混入されるのを防止するキャップが装着されている。しかしながら、現行のキャップでは継手内部が密閉される形となっている。このため、キャップ装着時に空気抵抗が生じるため、継手への装着力が大きくなり、或いは装着済の先のキャップが空気圧により緩んだり、外れてしまったりすることがあった。
【００１２】
本発明はかかる点を改良したものであり、キャップに通気口を開けることで、キャップ装着時の抵抗を軽減したものである。キャップに開ける通気口はその部位は問わないが、キャップ正面の中心若しくはその周辺に空気穴を開けることにより、キャップ装着時の空気抵抗を軽減することができたものである。この通気口の径を大きくすればキャップ装着時の抵抗を更に小さくできるが、一方では異物の混入防止機能は落ちる。逆に言えば、通気口の径を小さくすれば、装着時の抵抗は大きくなるが、異物混入防止機能は向上することとなる。
【００１３】
このように通気口の位置、数及び開口の大きさは任意に選択されるが、異物の混入防止の点を考えた場合には、継手基体や抜防止部材に接して装着させるキャップ面に形成するのが好ましい。尚、通気口はその穴形を問わないが、通常は円形又は矩形であり、スリット状であってもよい。ゴミの混入の防止という点で言えば、開口部が小さい方が良いことは言うまでもないが、キャップの成形時のモ−ルドピンが折れてしまうということもあり、１±０．５ｍｍ程度の径であるのがよい。
【００１４】
キャップの素材としては樹脂製のものがよく、例えばＰＰ樹脂であり、射出成形、ブロ−成形、真空成形等にてキャップ状に成型されるものである。
【実施例】
【００１５】
本発明のキャップを給水・給湯用の樹脂パイプの継手用のキャップをもって説明すると、図３はキャップの第１例における正面図、図４は側断面図である。キャップ６Ａにあって、その全体形状は図１に示すと同様であり、詳細は省略する。さて、キャップ６Ａの正面６ｂの中央部に１ｍｍ径の通気口１０を形成したものである。
【００１６】
図５はかかるキャップ６Ａを継手基体１の差込口の外面１ａに嵌め合わせた際の側面図であり、キャップ６Ａはその裾部６ａが外面１ａに密着して装着される。その際、二つのキャップ６Ａは同時に或いは時間をおいて装着されるが、継手の内部の空気はこの装着に際して内部で圧縮されることなく、通気口１０より外気に逃げることとなり、キャップ６Ａの緩みや外れ現象が全くなくなったものである。
【００１７】
尚、キャップ６Ａは前記図１のものも同様であるが、キャップの正面６ｂの内側に突起６ｃ及び環状突起６ｄを設けたもので、これによってサポ−トスリ−ブ２０の頭部２１を挟持するものであり、キャップ６Ａはこの状態でサポ−トスリ−ブ２０を内向きとして継手基体１に装着されるものである。これによって、樹脂パイプの装着の際に必要となるサポ−トスリ−ブ２０の紛失等のトラブルもなくなるものである。
【００１８】
図６は本発明のキャップの第２例（６Ｂ）における側断面図である。この例では、通気口１０を継手基体１の外面１ａと密着する裾部６ａに形成したものである。こうすることによって、キャップ６Ｂの装着の際には多少の抵抗は残るが、キャップ６Ｂの装着自体には特に問題はなく、通気口１０が直接外気とは繋がっていないことから、外部からのごみ等の異物の侵入は全くなくなる構造としたものである。
【００１９】
尚、前記した通り、抜防止部材５が継手基体１の外側に装着されている場合には、図７のように本発明のキャップ６の裾部６ａはかかる抜防止部材５の外面５ａと密着して装着されることは言うまでもない。
【産業上の利用可能性】
【００２０】
以上、本発明のキャップを主として給水・給湯用の樹脂パイプの継手用のキャップをもって説明したが、キャップに通気口を開けることでキャップ装着時の抵抗を軽減したものであり、給水・給湯用の継手のみならず全ての継手のキャップについて適用可能であり、継手内への異物の侵入の阻止目的に用いられることができ、その効果は極めて大きい。
【図面の簡単な説明】
【００２１】
【図１】図１は従来の継手及びキャップの具体例を示す図である。
【図２】図２は継手にキャップを嵌め込んだ際の図である。
【図３】図３は本発明のキャップの第１例の正面図である。
【図４】図４は図３のキャップの側断面図である。
【図５】図５は継手に本発明のキャップを嵌め込んだ際の側面図である。
【図６】図６は本発明のキャップの第２例の側断面図である。
【図７】図７は別構造の継手に本発明のキャップを嵌め込んだ際の側断面図である。
【符号の説明】
【００２２】
１‥継手基体、
１ａ‥継手基体の外面、
２‥止水部材、
３‥パイプ保持部材、
４‥継手基体の差込口、
５‥抜防止部材（袋ナット）、
５ａ‥抜防止部材（袋ナット）の外面、
６、６Ａ、６Ｂ‥キャップ、
６ａ‥キャップの裾部、
６ｂ‥キャップの正面部、
６ｃ、６ｄ‥突起、
１０‥通気口、
２０‥サポ−トスリ−ブ、
２１‥サポ−トスリ−ブの頭部。
【図１】
2007302329.tif 000003
【図２】
2007302329.tif 000004
【図３】
2007302329.tif 000005
【図４】
2007302329.tif 000006
【図５】
2007302329.tif 000007
【図６】
2007302329.tif 000008
【図７】
2007302329.tif 000009